(57)【要約】【課題】容易にストラップの紐材を取り付けることができるストラップ取付部材、これを備えたストラップ取付構造、電子機器装置及びストラップ取付方法を提供する。【解決手段】ストラップ取付部材１００は、ストラップの紐材が係合されるストラップ係合部１０１と、該ストラップ係合部１０１に設けられ、携帯電話（電子機器）に係合される電子機器係合部１０２とを備えることを特徴とする。【選択図】図１
2014155646.tif 000002
【特許請求の範囲】
【請求項１】
ストラップの紐材が係合されるストラップ係合部と、
該ストラップ係合部に設けられ、電子機器に係合される電子機器係合部とを備えることを特徴とするストラップ取付部材。
【請求項２】
請求項１に記載のストラップ取付部材において、
前記ストラップ係合部は、
前記紐材がその外周に配される軸部と、
前記軸部に設けられたカバー部とを有し、
前記カバー部は、前記電子機器係合部が前記電子機器に係合された状態で、前記電子機器とともに前記紐材を挟むことで、前記ストラップ取付部材に対する前記紐材の係合状態を維持することを特徴とするストラップ取付部材。
【請求項３】
請求項２に記載のストラップ取付部材において、
前記カバー部は、前記軸部の端部から軸線方向に交差する方向に向かって突出するように形成されていることを特徴とするストラップ取付部材。
【請求項４】
請求項２または請求項３に記載のストラップ取付部材と、
前記電子機器に設けられ、前記電子機器係合部と係合される被係合部と、
前記電子機器に前記被係合部と連続して形成され、前記カバー部を収容する収容部と、
前記収容部に収容された前記紐材を前記電子機器の外側に取り出す取出し部とを備えることを特徴とするストラップ取付構造。
【請求項５】
請求項１から請求項３のいずれか一項に記載のストラップ取付部材と、
前記電子機器とを備え、
前記電子機器には、前記電子機器係合部と係合される被係合部が設けられていることを特徴とする電子機器装置。
【請求項６】
請求項１から請求項３のいずれか一項に記載のストラップ取付部材のストラップ係合部に前記電子機器の前記紐材を係合させる第一係合工程と、
前記電子機器係合部を前記電子機器に形成された被係合部に係合させる第二係合工程とを備えることを特徴とするストラップ取付方法。
【発明の詳細な説明】
【技術分野】
【０００１】
本発明は、ストラップ取付部材、これを備えたストラップ取付構造、電子機器装置及びストラップ取付方法に関するものである。
【背景技術】
【０００２】
一般に、携帯電話等の電子機器には携帯用のストラップが設けられ、利用者がこのストラップを把持することで、電子機器の移動が可能とされている。
【０００３】
このようなストラップの取付構造としては、例えば電子機器の筺体に、筐体の表面に向かって開口するＵ字状の孔部が設けられ、この孔部にストラップの紐材を挿通させることで、ストラップを電子機器に固定する構造が知られている。
【０００４】
また、携帯端末装置のリア筺体に設けられた溝部にストラップの紐材を嵌め込み、リア筐体にカバー部材を取り付けることで、ストラップを携帯端末装置に固定する構造が提案されている（下記特許文献１参照）。
【先行技術文献】
【特許文献】
【０００５】
【特許文献１】特開２００８−２８９１３号公報
【発明の概要】
【発明が解決しようとする課題】
【０００６】
ここで、上記のストラップと電子機器に固定する構造では、電子機器に設けられた孔部にストラップの紐材を挿通させなければならない。これは細かい作業であるため、孔部に紐材を挿通させるのが困難であるいという問題点があった。
【０００７】
また、特許文献１に記載の携帯機器のストラップ取付構造では、ストラップを取り付ける際には、リア筐体を覆っているカバー部材と取り外した後に、溝部にストラップの紐材を嵌め込む。よって、カバー部材の取り外し作業と伴うため、煩わしいという問題点がある。
【０００８】
本発明は、上記事情に鑑みてなされたものであり、容易にストラップの紐材を取り付けることができるストラップ取付部材、これを備えたストラップ取付構造、電子機器装置及びストラップ取付方法を提供する。
【課題を解決するための手段】
【０００９】
上記目的を達成するために、本発明は以下の手段を採用している。
すなわち、本発明に係るストラップ取付部材は、ストラップの紐材が係合されるストラップ係合部と、該ストラップ係合部に設けられ、電子機器に係合される電子機器係合部とを備えることを特徴とする。
【００１０】
本発明に係るストラップ取付構造は、上記のストラップ取付部材と、前記電子機器に設けられ、前記電子機器係合部と係合される被係合部と、前記電子機器に前記被係合部と連続して形成され、前記カバー部を収容する収容部と、前記収容部に収容された前記紐材を前記電子機器の外側に取り出す取出し部とを備えることを特徴とする。
【００１１】
本発明に係る電子機器装置は、上記のいずれか一に記載のストラップ取付部材と、前記電子機器とを備え、前記電子機器には、前記電子機器係合部と係合される被係合部が設けられていることを特徴とする。
【００１２】
本発明に係るストラップ取付方法は、上記のいずれか一に記載のストラップ取付部材のストラップ係合部に前記電子機器の前記紐材を係合させる第一係合工程と、前記電子機器係合部を前記電子機器に形成された被係合部に係合させる第二係合工程とを備えることを特徴とする。
【発明の効果】
【００１３】
本発明に係るストラップ取付部材、これを備えたストラップ取付構造、電子機器装置及びストラップ取付方法によれば、容易に電子機器に取り付けることができる。
【図面の簡単な説明】
【００１４】
【図１】本発明の第一実施形態に係るストラップ取付部材を示す斜視図である。
【図２】本発明の第二実施形態に係るストラップ取付構造を示す分解斜視図である。
【図３】本発明の第二実施形態に係るストラップ取付構造を示す斜視図である。
【図４】本発明の第二実施形態に係るストラップ取付部材を示す斜視図である。
【図５】（ａ）ストラップ取付部材を電子機器内に挿入させた状態の図３のＡ−Ａ断面図であり、（ｂ）図５（ａ）の状態からストラップ取付部材を図３に示す矢印の向きに回転させた上体の図３のＡ−Ａ断面図である。
【図６】本発明の第三実施形態に係るストラップ取付構造を示す分解斜視図である。
【図７】本発明の第三実施形態に係るストラップ取付構造を示す斜視図である。
【発明を実施するための形態】
【００１５】
（第一実施形態）
以下、本発明の最小構成について、図１を用いて説明する。
図１に示すように、ストラップ取付部材１００は、ストラップの紐材（不図示）が係合されるストラップ係合部１０１と、ストラップ係合部１０１に設けられ、電子機器（不図示）に係合される電子機器係合部１０２とを有する。
【００１６】
このようなストラップ取付部材１００は、電子機器係合部１０２を電子機器から取り外した状態で、ストラップの紐材をストラップ取付部材に設けられたストラップ係合部１０１に係合し、電子機器係合部１０２を電子機器に係合させる。これにより、ストラップをストラップ取付部材１００を介して容易に電子機器に取り付けることができる。
【００１７】
（第二実施形態）
以下、本発明の第二実施形態に係るストラップ取付構造について、電子機器の一例として携帯電話を例に挙げて説明する。
図２及び図３に示すように、ストラップ３は、ストラップ取付部材４を介して携帯電話２に取り付けられている。
【００１８】
ここで、便宜上、携帯電話２の上面２Ｘ１側をＸ１側とし、携帯電話２の上面２Ｘ１と反対側の下面（不図示）側をＸ２側とする。また、携帯電話２の幅方向の一方側のＹ１側とし、他方側とＹ２側とする。また、携帯電話２の表面２Ｚ１側をＺ１側とし、表面２Ｚ１と反対側の裏面２Ｚ２側をＺ２側とする。
【００１９】
ストラップ３は、環状に形成された紐材３１と、紐材３１の一端に取り付けられ利用者が把持可能な把持部３２とを有している。
【００２０】
次に、ストラップ取付部材４について説明する。
ストラップ取付部材４は、ストラップ３の紐材３１が係合されるストラップ係合部４０と、携帯電話２に係合される電子機器係合部５０とを有している。
【００２１】
ストラップ係合部４０は、携帯電話２の上面２Ｘ１に配されるカバー部４１と、カバー部４１から延びる軸部４６とを有している。
【００２２】
図４に示すように、カバー部４１は、円盤状に形成され、Ｘ１−Ｘ２方向に直交する断面が円形状に形成されたカバー上壁部４１Ａと、カバー上壁部４１Ａと反対側であってＸ１−Ｘ２方向に直交する断面が円形状に形成されたカバー下壁部４１Ｂと、カバー上壁部４１Ａとカバー下壁部４１Ｂとを連結するカバー側壁部４１Ｃとを有している。
【００２３】
軸部４６は、カバー部４１のカバー下壁部４１ＢからＸ２方向に向かって延びている。この軸部４６のＸ１−Ｘ２方向に直交する断面の中心とカバー部４１のＸ１−Ｘ２方向に直交する断面の中心とは、Ｘ１−Ｘ２方向に沿って同心上に配されている。また、カバー部４１は軸部４６に対して、軸部４６のＸ１側の端部からＸ１−Ｘ２方向に交差する方向、つまりＹ１−Ｙ２方向からＺ１−Ｚ２方向にわたって突出するように形成されている。
【００２４】
電子機器係合部５０は、軸部４６のＸ２側の端部からＹ１方向に延びる第一延出部５１と、軸部４６のＸ２側の端部からＹ２方向に向かって第二延出部５２とを有している。この電子機器係合部５０のＸ１−Ｘ２方向に直交する断面の中心と軸部４６のＸ１−Ｘ２方向に直交する断面の中心とは、Ｘ１−Ｘ２方向に沿って同心上に配されている。
【００２５】
次に、携帯電話２について説明する。
図２に示すように、携帯電話２は、表面に液晶パネルＰが設けられた本体部２０と、ストラップ取付部材４のカバー部４１を収容するカバー収容部２１（収容部）と、カバー収容部２１と連続して本体部２０の上面に設けられた穴部２２（取出し部）と、ストラップ取付部材４の軸部４６が収容される軸収容部２３と、電子機器係合部５０と係合される被係合部２４とを有している。
【００２６】
図２及び図５に示すように、カバー収容部２１は、携帯電話２の本体部２０の上面から本体部２０の下面に向かって形成された凹部である。このカバー収容部２１は、カバー部４１の形状に対応した形状、つまり円盤形状に形成された凹部である。
【００２７】
穴部２２は、携帯電話２の本体部２０の上面におけるカバー収容部２１の外縁に沿って形成された凹部である。この穴部２２は、カバー収容部２１の外縁から突出するように円弧状に形成された凹部であって、互いに離間して一対設けられている。穴部２２の携帯電話２の上面２Ｘ１からの深さは、カバー収容部２１の携帯電話２の上面２Ｘ１からの深さと略同一である。
【００２８】
軸収容部２３は、携帯電話２の本体部２０の内方においてカバー収容部２１に連続して、携帯電話２の下面に向かって形成された凹部である。この軸収容部２３のＸ１−Ｘ２方向の長さは、ストラップ取付部材４の軸部４６のＸ１−Ｘ２方向の長さと略同一とされている。また、軸収容部２３のＹ１−Ｙ２方向の長さは、ストラップ取付部材４の電子機器係合部５０のＹ１−Ｙ２方向と略同一又はこれ以上とされている。
【００２９】
被係合部２４は、携帯電話２の本体部２０の内方において軸収容部２３に連続して、携帯電話２の下面に向かって形成された凹部である。ストラップ取付部材４の電子機器係合部５０が軸部４６の軸線Ｏ方向回りに回転した形状と対応した形状が、被係合部２４の形状である。このように、被係合部２４は、軸収容部２３を介してカバー収容部２１に連続して形成されている。
【００３０】
また、被係合部２４は、軸収容部２３のＸ２側の端部からＺ１方向に向かって突出し被係合部２４の上面を形成する第一壁部２４Ａと、軸収容部２３のＸ２側の端部からＺ２方向に向かって突出し被係合部２４の上面を形成する第二壁部２４Ｂとを有している。
【００３１】
ここで、ストラップ取付部材４と、携帯電話２の被係合部２４と、カバー収容部２１と、穴部２２とは、ストラップ取付構造１を構成している。
また、ストラップ取付部材４と、携帯電話２とは、電子機器装置１０を構成している。
【００３２】
次に、上記のように構成されたストラップ取付部材４を用いて、ストラップ３を携帯電話２に取り付ける方法について説明する。
まず、ストラップ３の紐材３１をストラップ取付部材４のストラップ係合部４０に係合させる第一係合工程を実行する。
ストラップ取付部材４を携帯電話２から取り外した状態で、ストラップ３の紐材３１の環状部分３１Ａの内部にストラップ取付部材４のカバー部４１をくぐらせて、紐材３１を軸部４６の外周に沿って配する。そして、把持部３２をカバー部４１のカバー上壁部４１Ａ側に位置させると、ストラップ３の紐材３１の環状部分が軸部４６の外周に配されるとともに、環状部分３１Ａから延びた部分３１Ｂ，３１Ｂがカバー部４１のカバー下壁部４１Ｂの外縁からカバー側壁部４１Ｃに沿って配される。
【００３３】
このようにして、軸部４６よりもカバー部４１が軸部４６のＸ１側の端部からＹ１−Ｙ２方向及びＺ１−Ｚ２に向かって突出しているために、紐材３１の環状部分３１Ａがカバー部４１のカバー下壁部４１Ｂに当接してＸ１方向への移動が規制される。つまり、ストラップ３はストラップ取付部材４に係合される。
【００３４】
次に、電子機器係合部５０を被係合部２４に係合させる第二係合工程を実行する。
ストラップ取付部材４の電子機器係合部５０の第一延出部５１がＹ１方向を向き、第二延出部５２がＹ２方向を向くようにして、ストラップ取付部材４を携帯電話２に設けられたカバー収容部２１、軸収容部２３、被係合部２４の凹部内に、Ｘ２方向に向かって挿入移動させる。
【００３５】
次に、ストラップ取付部材４の電子機器係合部５０の第一延出部５１及び第二延出部５２のＸ２側の面が、被係合部２４のＸ１側を向く面と当接した状態で、ストラップ取付部材４のＸ２方向の移動が規制される。この状態から、図３に示すように、ストラップ取付部材４をＸ１−Ｘ２方向回りに９０度回転させる。
【００３６】
これにより、ストラップ取付部材４の電子機器係合部５０の第一延出部５１がＺ１方向を向くように配され、第二延出部５２がＺ２方向を向くように配されて、第一延出部５１は第一壁部２４Ａに係合されるとともに第二延出部５２は第二壁部２４Ｂに係合される。
【００３７】
これにより、ストラップ取付部材４のカバー部４１は、携帯電話２に設けられたカバー収容部２１に収容されている。また、ストラップ３の紐材３１の環状部分３１Ａはストラップ取付部材４の軸部４６の外周に沿って配される。また、環状部３１Ａをカバー下壁部４１Ｂ、軸部４６及びカバー収容部２２に挟まれることで、カバー部４１はストラップ取付部材４に対する紐材３１の係合状態を維持している。また、環状部分３１Ａから延びた部分３１Ｂ，３１Ｂは携帯電話２に設けられた穴部２２から取り出されている。
【００３８】
この状態で、ストラップ取付部材４を携帯電話２内に配した挿入方向であるＸ２方向とは逆方向のＸ１方向に向かって引っ張っても、電子機器係合部５０の第一延出部５１が被係合部２４の第一壁部２４Ａと係合するとともに、第二延出部５２が被係合部２４の第二壁部２４Ｂと係合する。このように、ストラップ取付部材４の電子機器係合部５０は、携帯電話２に装着される。つまり、ストラップ取付部材４に係合されたストラップ３は、ストラップ取付部材４を介して携帯電話２に取り付けられる。
【００３９】
また、上記と逆の順序を行うことにより、ストラップ取付部材４の電子機器係合部５０と携帯電話２に設けられた被係合部２４との係合が解除されて、ストラップ取付部材４及びストラップ３を携帯電話２から取り外して、ストラップ３の紐材３１をストラップ取付部材４から取り外すことができる。
【００４０】
このように構成されたストラップ取付構造１によれば、ストラップ取付部材４を携帯電話２から取り外した状態で、ストラップ３の紐材３１をストラップ係合部４０に係合させる。そして、ストラップ取付部材４の電子機器係合部５０を携帯電話２に設けられた被係合部２４に係合させる。これにより、ストラップ３をストラップ取付部材４を介して携帯電話２に取り付けることができる。ここで、ストラップ３の紐材３１は、ストラップ取付部材４は携帯電話２から取り外しているため、ストラップ取付部材４に設けられた軸部４６の外周の任意の方向から係合させることができる。よって、容易にストラップ３をストラップ取付部材４を介して携帯電話２に取り付けることができる。
【００４１】
また、ストラップ取付部材４を携帯電話２に設けられたカバー収容部２１、軸収容部２３及び被係合部２４の凹部に挿入させ、Ｘ１−Ｘ２方向回りに回転させるだけで、ストラップ取付部材４を携帯電話２に装着することができるため、ストラップ３をストラップ取付部材４を介して携帯電話２に容易に取り付けることができる。
【００４２】
また、軸部４６の外周に配されたストラップ３の紐材３１は、カバー部４１により携帯電話２に対してＸ１方向への移動が規制されるため、紐材３１をストラップ取付部材４に確実に係合させることができる。また、ストラップ取付部材４の電子機器係合部５０は携帯電話２に設けられた被係合部２４によりＸ１方向移動が規制されるため、ストラップ取付部材４を携帯電話２に確実に係合させることができる。よって、ストラップ３を携帯電話２に確実に取り付けることができる。
【００４３】
また、携帯電話２の本体部２０の上面２Ｘ１からカバー収容部２１、穴部２２、軸収容部２３及び被係合部２４が設けられている。ここで、携帯電話２の内部にこれらカバー収容部２１等が設けられている場合にストラップ取付部材４を取り付ける場合には、例えば携帯電話２を覆うカバー部材等の取り外しが必要である。一方、本実施形態では、本体部２０の上面２Ｘ１から内方にむかって設けられているため、カバー部材等を取り外す必要がないため、ストラップ３の取り付けを容易にすることができる。
【００４４】
（第三実施形態）
以下、本発明の第三実施形態に係るストラップ取付構造２０１について、主に図６及び図７を用いて説明する。
この実施形態において、前述した実施形態で用いた部材と同一の部材には同一の符号を付して、その説明を省略する。
【００４５】
ストラップ取付部材２０４は、ストラップ３の紐材３１が係合されるストラップ係合部２４０と、携帯電話２に係合される電子機器係合部２５０とを有している。
【００４６】
ストラップ係合部２４０は、携帯電話２の裏面２Ｚ２に配され直方体状に形成されたカバー部２４１と、カバー部２４１から延びる軸部２４６とを有している。
【００４７】
軸部２４６は、カバー部２４１のＺ１側の端部からＺ１方向に向かって延びている。この軸部２４６のＺ１−Ｚ２方向に直交する断面の中心とカバー部２４１のＺ１−Ｚ２方向に直交する断面の中心とは、Ｚ１−Ｚ２方向に沿って同心上に配されている。また、カバー部２４１は軸部２４６に対して、軸部２４６のＺ２側の端部からＹ１−Ｙ２方向に突出するように形成されている。
【００４８】
電子機器係合部２５０は、軸部２４６のＺ１側の端部からＹ１−Ｙ２方向に向かって延びている。この電子機器係合部２５０のＺ１−Ｚ２方向に直交する断面の中心と軸部２４６のＺ１−Ｚ２方向に直交する断面の中心とは、Ｚ１−Ｚ２方向に沿って同心上に配されている。
【００４９】
次に、携帯電話２について説明する。
携帯電話２は、上面２Ｘ１に液晶パネルが設けられた本体部２０と、ストラップ取付部材２０４のカバー部２４１を収容するカバー収容部２２１（収容部）と、カバー収容部２２１と連続して本体部２０の上面に設けられた穴部２２２（取出し部）と、ストラップ取付部材２０４の軸部２４６が収容される軸収容部２２３と、電子機器係合部２５０と係合される被係合部２２４とを有している。
【００５０】
カバー収容部２２１は、携帯電話２の裏面２Ｚ２から携帯電話２の表面２Ｚ１に向かって形成された凹部である。このカバー収容部２２１は、カバー部２４１の形状に対応した形状、つまり直方体状に形成された凹部である。
【００５１】
穴部２２２は、携帯電話２の上面２Ｘ１及び裏面２Ｚ２から内方に向かって形成された溝であって、カバー収容部２２１と連通するように形成されている。
【００５２】
軸収容部２２３は、携帯電話２の本体部２０の内方においてカバー収容部２２１に連通して、携帯電話２の表面２Ｚ１側に向かって形成された凹部である。
【００５３】
被係合部２２４は、携帯電話２の本体部２０の内方において軸収容部２２３に連通して、携帯電話２の表面２Ｚ１側に向かって形成された凹部である。
【００５４】
換言すると、カバー収容部２２１、軸収容部２２３及び被係合部２２４は、携帯電話２の裏面から連通して形成された直方体状の凹部である。
ここで、ストラップ取付部材２０４と、携帯電話２の被係合部２２４と、カバー収容部２２１と、穴部２２２とは、ストラップ取付構造１を構成している。
【００５５】
次に、上記のように構成されたストラップ取付部材２０４を用いて、ストラップ３を携帯電話２に取り付ける方法について説明する。
まず、ストラップ３の紐材３１をストラップ取付部材２０４のストラップ係合部２４０に係合させる第一係合工程を実行する。
ストラップ取付部材２０４を携帯電話２から取り外した状態で、ストラップ３の紐材３１をストラップ取付部材２０４の軸部２４６の外周に沿って配する。そして、把持部３２をストラップ取付部材２０４のＸ１側に配すると、ストラップ３の紐材３１の環状部分３１Ａが軸部２４６のＸ２側、Ｙ１側及びＹ２側の外周に配される。
【００５６】
次に、電子機器係合部２５０を被係合部２２４に係合させる第二係合工程を実行する。
ストラップ取付部材２０４の電子機器係合部２５０がＹ１−Ｙ２方向を向くようにして、ストラップ取付部材２０４を携帯電話２に設けられたカバー収容部２２１、軸収容部２２３、被係合部２２４の凹部内に、Ｚ１方向に向かって挿入移動させる。
【００５７】
これにより、ストラップ取付部材２０４のカバー部２４１は、携帯電話２に設けられたカバー収容部２２１に収容されている。また、ストラップ３の紐材３１の環状部分３１Ａはストラップ取付部材２０４の軸部２４６の外周に沿って配される。また、環状部３１Ａは環状部分３１Ａを軸部２４６のＸ２側の面と軸収容部２２３のＸ１側を向く面とで挟まれることで、カバー部２４１はストラップ取付部材２０４に対する紐材３１の係合状態を維持している。また、紐材３１の把持部３２側の部分は携帯電話２に設けられた穴部２２２から取り出されている。
【００５８】
この状態で、ストラップ取付部材２０４を携帯電話２に対してＸ１方向に向かって引っ張っても、電子機器係合部２５０のＸ１側の面が携帯電話２に設けられた被係合部２２４のＸ２側を向く面と係合する。また、ストラップ３をＺ２方向に向かって引っ張っても、ストラップ３の紐材３１がカバー部２４１のＺ１側の面に当接するため、紐材３１のＺ２方向への移動が規制される。このように、ストラップ取付部材２０４の電子機器係合部２５０が携帯電話２に設けられた被係合部２２４に装着される。つまり、ストラップ取付部材２０４に係合されたストラップ３は、ストラップ取付部材２０４を介して携帯電話２に取り付けられる。
【００５９】
このように構成されたストラップ取付構造１によれば、ストラップ取付部材２０４を携帯電話２の裏面２Ｚ２に設けることができるため、携帯電話２の表面２Ｚ１側の美観を維持したままで、ストラップ３を携帯電話２に容易に取り付けることができる。
【００６０】
なお、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００６１】
１，２０１…ストラップ取付構造
２…携帯電話（電子機器）
３…ストラップ
４，２０４…ストラップ取付部材
１０…電子機器装置
２１，２２１…カバー収容部（収容部）
２２，２２２…穴部（取出し部）
２４，２２４…被係合部
３１…紐材
４０，２４０…ストラップ係合部
４１，２４１…カバー部
４６，２４６…軸部
５０，２５０…電子機器係合部
【図１】
2014155646.tif 000003
【図２】
2014155646.tif 000004
【図３】
2014155646.tif 000005
【図４】
2014155646.tif 000006
【図５】
2014155646.tif 000007
【図６】
2014155646.tif 000008
【図７】
2014155646.tif 000009